(57)【要約】【課題】吸盤装置において、吸盤を被吸着面から引き剥がすための構造の見栄えを向上させる。【解決手段】車載モニタ装置の支持具（吸盤装置）１０は吸盤３０と、吸盤３０の外面に被せられたケース２６を具える。ケース２６の後部外周縁部にケース側隆起部２６ｍ，２６ｎを形成して、該ケース側隆起部２６ｍ，２６ｎの内面側に外方に開口する指掛け用開口部６２，６４を形成する。吸盤３０外周縁部の後部に吸盤側隆起部３０ｅ，３０ｆを形成し、該吸盤側隆起部３０ｅ，３０ｆを指掛け用開口部６２，６４内に配置する。支持具１０を被吸着面３５に装着するときは、支持具１０を被吸着面３５に載置してロックレバー４６を閉位置（施錠位置）に変位させる。支持具１０を被吸着面３５から外すときはロックレバー４６を開位置（開錠位置）に変位させて、片手の指６８を指掛け用開口部６２，６４に掛けて吸盤側隆起部３０ｅ，３０ｆごとケース２６の後部を引き上げる。【選択図】図１
2010133527.tif 000002
【特許請求の範囲】
【請求項１】
吸盤と、該吸盤の外面に被せられて該吸盤と相互に連結されるケースとを具備し、
前記ケースの外周縁部の一部に該外周縁部の外方に開口する指掛け用開口部が形成され、
前記吸盤の外周縁部の一部に前記指掛け用開口部内に配置される隆起部が形成され、
前記吸盤が被吸着面に吸着された状態にあるときに前記隆起部は前記指掛け用開口部内で該被吸着面から浮いた状態に配置され、さらに
前記吸盤の前記隆起部と該吸盤の中央部の負圧空間との間の箇所に対向して前記ケースの裏面に突条が形成され、
前記吸盤が前記被吸着面に吸着された状態にあるときに前記突条は前記吸盤の負圧空間の負圧により前記吸盤の対向箇所を押圧して前記隆起部から前記負圧空間への空気の流入を遮断する
吸盤装置。
【請求項２】
前記ケースの外周縁部に隆起部が形成され、前記指掛け用開口部が該隆起部の内面側に形成されている請求項１記載の吸盤装置。
【請求項３】
前記突条が前記ケースの裏面に前記吸盤の負圧空間の全周を取り囲む位置に対向して連続した環状に形成されている請求項１または２記載の吸盤装置。
【請求項４】
前記ケースに向きがあり、前記指掛け用開口部が該ケースの後部の一箇所または複数箇所に形成されている請求項１から３のいずれか１つに記載の吸盤装置。
【請求項５】
前記吸盤の吸着面に粘着性のある高分子ゲル層が装着され、
前記吸盤が前記被吸着面に吸着された状態にあるときに前記突条は前記吸盤の負圧空間の負圧により前記吸盤の前記高分子ゲル層が装着されている領域を押圧する請求項１から４のいずれか１つに記載の吸盤装置。
【請求項６】
前記高分子ゲル層は該高分子ゲル層自身の粘着性を利用して前記吸盤の吸着面に着脱自在に装着され、
前記吸盤の外周縁部に該吸盤の吸着面側に折り返された折り返し部が形成され、
前記高分子ゲル層の外周縁部は前記吸盤の外周縁部の表面側部分と前記折り返し部との間に挟み込まれ、
前記吸盤の隆起部は前記折り返し部の外周側に形成されている請求項５記載の吸盤装置。
【請求項７】
前記吸盤の外面中央部にロッドが突出形成され、
前記ケースの中央部に穴が形成され、該穴に前記ロッドの突出部分を該ロッドの軸方向に移動自在に通して該ケースを前記吸盤の外面に被せ、
前記ロッドの前記ケースの穴から突出している突出部分に回動自在にロックレバーをピン結合し、
該ロックレバーが前記ピン結合のピンを中心とした回動動作に伴い前記ケースの所定箇所とカム係合して前記ロッドを該ケースに対して該ロッドの軸方向に移動させることにより、該ロッドを該ケースに対して引き上げて前記吸盤を被吸着面に強く吸着した状態と、該ロッドを該ケースに対して引き下ろして前記吸盤を前記被吸着面から容易に引き剥がせる状態とに変位させる構造を有し、
該構造により前記吸盤と前記ケースとが、前記ピン結合されたロッドおよびロックレバーを介して相互に連結されている請求項１から６のいずれか１つに記載の吸盤装置。
【発明の詳細な説明】
【技術分野】
【０００１】
この発明は吸盤を被吸着面から引き剥がすための構造を有する吸盤装置に関し、従来のものに比べて見栄えを向上させたものである。
【背景技術】
【０００２】
吸盤を被吸着面から引き剥がすための構造として下記特許文献１，２に記載されたものがあった。特許文献１に記載のものは吸盤の外周縁から外方に向けて引き剥がし用のリップを突出形成したものである。吸盤が被吸着面に吸着した状態でリップを摘み上げることにより、吸盤と被吸着面との間の負圧空間に空気が流入して吸盤を被吸着面から引き剥がすことができる。特許文献２記載のものは吸盤の外周縁部付近の外面から上方に引き剥がし用の突起部を突出形成したものである。吸盤が被吸着面に吸着した状態で突起部を摘み上げることにより、吸盤と被吸着面との間の負圧空間に空気が流入して吸盤を被吸着面から引き剥がすことができる。
【０００３】
【特許文献１】特開２００６−６４１６８号公報
【特許文献２】特開平７−１５１１３１号公報
【発明の開示】
【発明が解決しようとする課題】
【０００４】
前記従来の吸盤装置によれば、吸盤に形成されている引き剥がし部（リップ、突起部）が大きく外に飛び出しているため見栄えが悪い問題があった。
【０００５】
この発明は上述の点に鑑みてなされたもので、吸盤を被吸着面から引き剥がすための構造部分の見栄えを従来のものに比べて向上させた吸盤装置を提供しようとするものである。
【課題を解決するための手段】
【０００６】
この発明の吸盤装置は、吸盤と、該吸盤の外面に被せられて該吸盤と相互に連結されるケースとを具備し、前記ケースの外周縁部の一部に該外周縁部の外方に開口する指掛け用開口部が形成され、前記吸盤の外周縁部の一部に前記指掛け用開口部内に配置される隆起部が形成され、前記吸盤が被吸着面に吸着された状態にあるときに前記隆起部は前記指掛け用開口部内で該被吸着面から浮いた状態に配置され、さらに前記吸盤の前記隆起部と該吸盤の中央部の負圧空間との間の箇所に対向して前記ケースの裏面に突条が形成され、前記吸盤が前記被吸着面に吸着された状態にあるときに前記突条は前記吸盤の負圧空間の負圧により前記吸盤の対向箇所を押圧して前記隆起部から前記負圧空間への空気の流入を遮断するものである。
【０００７】
この発明によれば、吸盤が被吸着面に吸着した状態でケースの指掛け用開口部に指をかけて吸盤の隆起部ごとケースを引き上げることにより、吸盤と被吸着面との間の負圧空間に空気が流入して吸盤を被吸着面から引き剥がすことができる。この吸盤引き剥がし構造によれば吸盤に形成されている吸盤引き剥がし用の隆起部がケースの指掛け用開口部内に配置されているので、ケースの外に大きく外に飛び出すことがなく、見栄えをよくすることができる。またこの発明によれば吸盤の隆起部と該吸盤の中央部の負圧空間との間の箇所に対向してケースの裏面に突条を形成し、吸盤が被吸着面に吸着された状態にあるときに突条は吸盤の負圧空間の負圧により吸盤の対向箇所を押圧して隆起部から負圧空間への空気の流入を遮断するので、該吸着状態を維持することができる。
【０００８】
この発明の吸盤装置は、前記ケースの外周縁部に隆起部が形成され、前記指掛け用開口部が該隆起部の内面側に形成されているものとすることができる。これによれば引き剥がすための操作位置がケースの隆起部として明確に表示されるので、操作位置を探すのに苦労することがなく、引き剥がし操作が容易になる。
【０００９】
この発明の吸盤装置は、前記突条が前記ケースの裏面に前記吸盤の負圧空間の全周を取り囲む位置に対向して連続した環状に形成されているものとすることができる。これによれば吸盤が被吸着面に吸着された状態にあるときに突条は吸盤の負圧空間の負圧により該吸盤の負圧空間の全周を取り囲む位置を押圧するので、外部空間から負圧空間への空気の流入を該負圧空間の全周にわたり遮断することができ、該吸着状態を長期間にわたり維持することができる。
【００１０】
この発明の吸盤装置は、前記ケースに向きがあり、前記指掛け用開口部が該ケースの後部の一箇所または複数箇所に形成されているものとすることができる。これによればケースの後部の指掛け用ケースに指をかけて手前に引くことにより吸盤を被吸着面から引き剥がすことができる。また吸盤装置を被吸着面に装着した状態では前部側からは指掛け用開口部を見えなくすることができるので見栄えをより向上させることができる。
【００１１】
この発明の吸盤装置は、前記吸盤の吸着面に粘着性のある高分子ゲル層が装着され、前記吸盤が前記被吸着面に吸着された状態にあるときに前記突条は前記吸盤の負圧空間の負圧により前記吸盤の前記高分子ゲル層が装着されている領域を押圧するものとすることができる。これによれば高分子ゲル層は吸盤による吸着力を保持する働きをするので、該吸着状態を長期間にわたり維持することができる。
【００１２】
前記高分子ゲル層は該高分子ゲル層自身の粘着性を利用して前記吸盤の吸着面に着脱自在に装着され、前記吸盤の外周縁部に該吸盤の吸着面側に折り返された折り返し部が形成され、前記高分子ゲル層の外周縁部は前記吸盤の外周縁部の表面側部分と前記折り返し部との間に挟み込まれ、前記隆起部は前記折り返し部の外周側に形成されているものとすることができる。これによれば高分子ゲル層は該高分子ゲル層自身の粘着性を利用して吸盤の吸着面に着脱自在に装着されているので、高分子ゲル層が古くなった場合はこれを剥がして新しい高分子ゲル層と交換することができる。また高分子ゲル層の外周縁部を吸盤の外周縁部の表面側部分と折り返し部との間に挟み込んだので、吸盤を高分子ゲル層とともに被吸着面から引き剥がすときに高分子ゲル層が吸盤の吸着面から剥がれて被吸着面側に残るのが防止される。また隆起部は折り返し部の外周側に形成されているので、吸盤が被吸着面に吸着した状態でケースの指掛け用開口部に指をかけて吸盤の隆起部を引き上げたときに、吸盤を折り返し部の位置から確実に引き剥がすことができ、高分子ゲル層が吸盤の吸着面から剥がれて被吸着面側に残るのをより確実に防止することができる。
【００１３】
この発明の吸盤装置は、前記吸盤の外面中央部にロッドが突出形成され、前記ケースの中央部に穴が形成され、該穴に前記ロッドの突出部分を該ロッドの軸方向に移動自在に通して該ケースを前記吸盤の外面に被せ、前記ロッドの前記ケースの穴から突出している突出部分に回動自在にロックレバーをピン結合し、該ロックレバーが前記ピン結合のピンを中心とした回動動作に伴い前記ケースの所定箇所とカム係合して前記ロッドを該ケースに対して該ロッドの軸方向に移動させることにより、該ロッドを該ケースに対して引き上げて前記吸盤を被吸着面に強く吸着した状態と、該ロッドを該ケースに対して引き下ろして前記吸盤を前記被吸着面から容易に引き剥がせる状態とに変位させる構造を有し、該構造により前記吸盤と前記ケースとが、前記ピン結合されたロッドおよびロックレバーを介して相互に連結されているものとすることができる。
【発明を実施するための最良の形態】
【００１４】
この発明の実施の形態を説明する。この実施の形態ではこの発明の吸盤装置をカーナビゲーションシステム等の車載モニタ装置の支持具に適用した場合について説明する。はじめに主に図１〜図５の外観図（いずれも支持具１０がダッシュボード等の被吸着面３５に装着された状態を示す）を参照してこの実施の形態による支持具１０の概要を説明する。例えば図１において、支持具１０はベース部１２、回動部１４を具える。ベース部１２は自動車の車室内でモニタ装置を設置しようとする箇所に、内蔵する吸盤３０（図６、図７等）を用いて装着される。回動部１４はベース部１２に、回動軸１８を中心に９０°以上の角度範囲で回動自在に連結支持されている。回動軸１８はベース部１２のケース２６の下端面２６ｄが属する平面に対し平行に配置されている。回動部１４の自由端部を構成する自由端部側軸棒１４ａには据付用治具（図示せず）を介してモニタ装置（図示せず）が回動軸２０を中心に９０°以上の角度範囲で回動自在に連結支持される。回動軸２０は回動軸１８に対し平行に配置されている。以上の構成によれば、ベース部１２をダッシュボード等の被吸着面３５上に吸盤３０で装着した状態で、回動部１４を回動軸１８を中心に回動させることによりモニタ装置の高さ位置が調整される。このとき回動部１４はベース部１２との摺動面の摩擦力によりベース部１２に対し、調整された回動角度に保持される。またモニタ装置を据付用治具を介して回動軸２０を中心に回動させることによりモニタ装置の上下方向の角度が調整される。このときモニタ装置は据付用治具と回動部１４との摺動面の摩擦力により回動部１４に対し、調整された回動角度に保持される。
【００１５】
次に支持具１０の各部の詳細構成を主に図６〜図１０を参照して説明する。図６〜図８および図１０は図１〜図５の装着状態における支持具１０の断面図、図９はケース２６単体の裏面図を示す。例えば図６において、ベース部１２は硬質合成樹脂、金属等で構成された高剛性のケース２６を具える。ケース２６は椀を伏せたような外形を有し、平面形状は丸みを帯びた四角形（図５）に形成されている。四角形の各角部にはねじ通し穴２７が開設されている。ねじ通し穴２７には必要に応じて支持具１０を被吸着面３５に確実に固定するためのねじが差し込まれて被吸着面にねじ込まれる。ケース２６は下方に開口する凹所２８を有する。凹所２８には吸盤３０が収容配置される。吸盤３０の吸着面３０ａは下方に向けられている。吸盤３０の吸着面３０ａの全面には粘着性のある高分子ゲル層として高分子ゲルシート３３が高分子ゲルシート３３自身の粘着性を利用して着脱自在に貼り付けられている。着脱自在であるので高分子ゲルシート３３が古くなった場合はこれを剥がして新しい高分子ゲルシートと交換することができる。高分子ゲルシート３３が貼り付けられた吸盤３０は吸盤作用によりダッシュボード等の被吸着面３５に吸着する。このとき高分子ゲルシート３３は被吸着面３５に粘着して吸盤３０による吸着力を保持して該吸着状態を長期間にわたり維持する働きをする。
【００１６】
図６において、吸盤３０の中央部には硬質合成樹脂、金属等で構成された円盤４０が埋め込まれている。円盤４０の中央部上面には円盤４０と一体に、扁平な横断面形状を有するロッド４２が上方に突出して形成されている。ロッド４２はケース２６の上面２６ｋの中央部に形成された穴４４に、ロッド４２の軸方向に移動自在に通されてケース２６の上方に突出している。ロッド４２のケース２６の穴４４から突出している突出部分４２ａの上部にはロックレバー４６がピン４８で回動自在にピン結合され、これによりロックレバー４６はピン４８の中心を通る回動軸５０を中心に回動自在とされている。回動軸５０は回動軸１８，２０と平行に配置されている。ロックレバー４６はケース２６上に露出する押さえ板５４およびねじ５６（図１２）の頭部を隠す働きと、ロックレバー４６の基端部に構成されているカム部５７（図７）とケース２６の上面２６ｋとの当接（カム係合）によりロッド４２をケース２６に対し引き上げて吸盤３０を被吸着面３５に吸着させる働きをする。すなわちロックレバー４６を手で操作して閉位置（施錠位置、すなわち図１〜図７の状態）に変位させればロッド４２はケース２６に対して引き上げられて、吸盤３０は被吸着面３５に強く吸着した状態に保持される。またロックレバー４６を手で操作して開位置（開錠位置、すなわち図１１〜図１６の状態）に変位させれば、ロッド４２はケース２６に対して引き下げられて吸盤３０は被吸着面３５から容易に引き剥がせる状態になる。このようにして吸盤３０とケース２６とはピン結合されたロッド４２およびロックレバー４６を介して相互に連結されている。
【００１７】
図６において、ケース２６の上面２６ｋには回動部１４の基端部側軸棒１４ｂの下側半分を収容して支持する凹部５２が形成されている。ケース２６の上面２６ｋには基端部側軸棒１４ｂの上側半分を収容する押さえ板５４が４本のねじ５６により固定されている。４本のねじ５６はケース２６を貫通してケース２６の凹所２８内でナット５９（図９）にねじ込まれて固定される。これにより基端部側軸棒１４ｂはその中心軸を通る回動軸１８を中心に回動自在にベース部１２に支持される。押さえ板５４と４本のねじ５６は、ロックレバー４６を閉位置（図１〜図７の状態）に回動させることにより外部から隠されて見えなくなる。
【００１８】
回動部１４は図５に示されているように、互いに間隙を隔てて配置された左右のアーム１４ｃ，１４ｄと、アーム１４ｃ，１４ｄの基端部間を相互に連結する基端部側軸棒１４ｂと、アーム１４ｃ，１４ｄの自由端部間を相互に連結する自由端部側軸棒１４ａを具え、硬質合成樹脂、金属等で全体として矩形の枠状に一体に構成されている。基端部側軸棒１４ｂの軸方向中央部には球状に膨出した大径部１４ｂａが形成されている。大径部１４ｂａは基端部側軸棒１４ｂの一部を大径にすることにより、基端部側軸棒１４ｂとケース２６および押さえ板５４との間に生じる摩擦力を大きくする働きをするものである。この摩擦力により回動部１４はモニタ装置の荷重により下方に回動するのが阻止される。基端部側軸棒１４ｂとケース２６および押さえ板５４との間に生じる摩擦力は、押さえ板５４をケース２６に装着する４本のねじ５６をナット５９にねじ込むねじ込み量により調整することができる。したがってこのねじ込み量によりこの摩擦力を適度な大きさに予め設定しておくことにより、運転者等はモニタ装置に手で力を加えてベース部１２に対する回動部１４の回動位置（つまりモニタ装置の高さ位置）を調整することができ、この調整した回動位置は保持される。
【００１９】
次に吸盤３０の外周縁部における高分子ゲルシート３３の保持構造について図６のＮ部拡大図である図８を参照して説明する。前述のように吸盤３０の吸着面３０ａにはその全面に高分子ゲルシート３３が高分子ゲルシート３３自身の粘着性を利用して着脱自在に貼り付けられている。吸盤３０の外周縁部３０ｂは吸着面３０ａ側に折り返されて全周にわたり折り返し部３０ｂｂを形成している。高分子ゲルシート３３の外周縁部３３ａは吸盤３０の外周縁部３０ｂの表面側部分３０ｂａと折り返し部３０ｂｂとの間に挟み込まれている。これによれば高分子ゲルシート３３の外周縁部３３ａを吸盤３０の外周縁部３０ｂの表面側部分３０ｂａと折り返し部３０ｂｂとの間に挟み込んでいるので、吸盤３０の吸着面３０ａに高分子ゲルシート３３を二色成形や接着剤で接合しなくても、吸盤３０を高分子ゲルシート３３とともに被吸着面３５から引き剥がすときに高分子ゲルシート３３が吸盤３０の吸着面３０ａから剥がれて被吸着面３５側に残るのが防止される。また吸盤３０の折り返し部３０ｂｂは先端部３０ｂｂａが先細に形成され、これにより折り返し部３０ｂｂの先端部３０ｂｂａの位置で折り返し部３０ｂｂと高分子ゲルシート３３との段差ｄが緩和されている。段差ｄが大きいと吸盤３０が被吸着面３５に吸着した状態で折り返し部３０ｂｂの先端部３０ｂｂａが被吸着面３５を押してこの段差部３２のすぐ内周側の位置で高分子ゲルシート３３が被吸着面３５から浮き上がり易くなるが、段差ｄが緩和されているので、高分子ゲルシート３３が被吸着面３５から浮き上がるのが抑制され、吸盤３０による吸着状態を長期間にわたり維持することができる。また折り返し部３０ｂｂの先端部３０ｂｂａが先細に形成されているので、高分子ゲルシート３３を吸盤３０の吸着面３０ａに装着するときに折り返し部３０ｂｂをめくり上げ易くなり、高分子ゲルシート３３を装着するのが容易になる。
【００２０】
図８において、吸盤３０の周縁部上面３０ｃは、後述する指掛け用開口部６２，６４の位置を除いた全周でケース２６の周縁部下面２６ａに当接支持される。ケース２６の最外周部には吸盤３０の外周縁部３０ｂを包囲して隠す縁部２６ｂが、該指掛け用開口部６２，６４の位置を除いた全周で下方に向けて突出形成されている。ケース２６の裏面には、吸盤３０の外周縁部３０ｂが高分子ゲルシート３３の外周縁部３３ａを挟み込んでいる箇所のすぐ内周側の位置に、突条２６ｃが全周にわたり円環状に（図９）形成されている。これによれば吸盤３０が被吸着面３５に吸着した状態にあるときに突条２６ｃが吸盤３０の中央部の負圧空間６６（図６、図７）の負圧により吸盤３０との対向箇所を全周にわたり押圧し該押圧した箇所で高分子ゲルシート３３を被吸着面３５に強く押し付けるので、負圧空間６６が外部空間から確実に遮断され、吸盤３０による吸着状態を長期間にわたり維持することができる。
【００２１】
次に吸盤３０を被吸着面３５から引き剥がすための構造について図６のＭ部拡大図である図１０を参照して説明する。ケース２６の後部外周縁部には２箇所の隆起部（以下「ケース側隆起部」）２６ｍ，２６ｎ（図１）が形成され、これに伴いケース側隆起部２６ｍ，２６ｎの内面側に外方（後方）に開口する指掛け用開口部６２，６４（図１）が形成されている。吸盤３０の後部外周縁部にはケース２６の指掛け用開口部６２，６４に対面する位置に指掛け用開口部６２，６４の内面形状に倣った（つまり指掛け用開口部６２，６４に丁度収まる）外面形状を有する隆起部（以下「吸盤側隆起部」）３０ｅ，３０ｆ（図１）が形成されている。吸盤側隆起部３０ｅ，３０ｆはケース２６の指掛け用開口部６２，６４内で被吸着面３５から常に浮いた状態に配置されている。吸盤側隆起部３０ｅ，３０ｆは指掛け用開口部６２，６４内で折り返し部３０ｂｂのすぐ外周側から立ち上がって隆起している。突条２６ｃは吸盤側隆起部３０ｅ，３０ｆがある周方向位置においても、吸盤３０の外周縁部３０ｂが高分子ゲルシート３３の外周縁部３３ａを挟み込んでいる箇所のすぐ内周側の位置に対面し、吸盤３０が被吸着面３５に吸着した状態にあるときにこの位置を押圧して吸盤側隆起部３０ｅ，３０ｆから負圧空間６６への空気の流入を遮断する。被吸着面３５に装着された支持具１０を被吸着面３５から外すときは、後述するようにロックレバー４６を開位置に回動させた後、２本の指を指掛け用開口部６２，６４に掛けて吸盤側隆起部３０ｅ，３０ｆごとケース２６を引き上げる（図１８参照）。
【００２２】
以上の構成の支持具１０をダッシュボード等の被吸着面３５に装着する手順について説明する。被吸着面３５に装着する前は図１１〜図１６に示すようにロックレバー４６を手動操作で開位置（開錠位置）に設定する。この状態で支持具１０を被吸着面３５の所望位置に載置する。次いでロックレバー４６の上方に向いて露出している内面部分４６ａ（図１２〜図１６）を指で下方に強く押下してロッド４２を押し下げる。こうすることにより吸盤３０の中央部が押し下げられて高分子ゲルシート３３と被吸着面３５との間の空間６６（図１５、図１６）の空気が排出されて高分子ゲルシート３３が被吸着面３５に広い面積で粘着する。なお図１５〜図１７では高分子ゲルシート３３は周縁部を除き吸盤３０の吸着面３０ａから離れた状態に図示されているが、通常は一度吸着面３０ａに貼り付けられれば、被吸着面３５から引き剥がしても吸着面３０ａに貼り付けられた状態が維持される。
【００２３】
この状態からさらにロックレバー４６を手動操作で図１〜図７に示すように閉位置（施錠位置）に回動させることにより、カム部５７（図３、図４、図７）がケース２６の上面２６ｋに当接（カム係合）してロッド４２が吸盤３０の中央部を伴って引き上げられて高分子ゲルシート３３と被吸着面３５との間の空間６６が負圧化されて吸着力が発生する。これにより支持具１０は被吸着面３５に強く装着された状態となる。空間６６が負圧化された状態では突条２６ｃ（図６、図７）が該負圧により吸盤３０を介して高分子ゲルシート３３を被吸着面３５に強く押し付けるので、吸盤３０による吸着状態が長期間にわたり維持される。
【００２４】
このようにして支持具１０を被吸着面３５に装着した状態では、運転者等が手動操作で回動部１４を回動軸１８を中心に回動させることにより、回動部１４の自由端部側軸棒１４ａに据付用治具を介して支持されたモニタ装置の高さ位置が調整される。また運転者等が手動操作でモニタ装置を前記据付用治具を介して回動軸２０を中心に回動させることによりモニタ装置の上下方向の角度が調整される。したがって回動軸１８を中心とした回動部１４の回動と回動軸２０を中心としたモニタ装置の回動との協働により、モニタ装置を被吸着面３５に対し所定の姿勢に維持したままモニタ装置の高さ位置を調整することができる。
【００２５】
支持具１０を被吸着面３５から外すときは、図１８に示すようにロックレバー４６を開位置に回動させた後、片手の２本の指６８を指掛け用開口部６２，６４にそれぞれ掛けて吸盤側隆起部３０ｅ，３０ｆごとケース２６を引き上げる。このとき操作者は支持具１０の前側から指掛け用開口部６２，６４を直接見ることはできないが、指掛け用開口部６２，６４の位置はケース側隆起部２６ｍ，２６ｎの位置で明確に表示されるので、操作位置を探すのに苦労することがなく、引き剥がし操作を容易に行うことができる。なおケース側隆起部２６ｍ，２６ｎの表面に引き剥がし操作位置であることを示す文字または記号を併せて表示して、引き剥がし操作位置であることをより明確に表示することもできる。
【００２６】
ケース２６を吸盤側隆起部３０ｅ，３０ｆごと引き上げると、吸盤３０および高分子ゲルシート３３が撓んでケース２６の後部側（指掛け用開口部６２，６４が形成されている側）が持ち上がり、該ケース２６の後部側で高分子ゲルシート３３が被吸着面３５から剥がれ、高分子ゲルシート３３と被吸着面３５との間の負圧空間６６に空気が流入して吸盤３０が高分子ゲルシート３３ごと被吸着面３５から引き剥がされる。このとき高分子ゲルシート３３の外周縁部３３ａは吸盤３０の外周縁部３０ｂの表面側部分３０ｂａと折り返し部３０ｂｂとの間に挟み込まれているので、高分子ゲルシート３３が吸盤３０の吸着面３０ａから剥がれて被吸着面３５側に残るのが防止される。
【００２７】
前記実施の形態ではこの発明の吸盤装置を車載モニタ装置の支持具に適用した場合について説明したが、この発明の吸盤装置は車載モニタ装置の支持具以外の各種用途に適用することができる。
【図面の簡単な説明】
【００２８】
【図１】この発明の吸盤装置を車載モニタ装置の支持具に適用した実施の形態を示す図で、該支持具をロックレバー４６を閉位置にしてダッシュボード等の被吸着面３５に装着して背面側から見た斜視図である。
【図２】図１の支持具を前面側から見た斜視図である。
【図３】図１の支持具の側面図である。
【図４】図１の支持具の背面図である。
【図５】図１の支持具の平面図である。
【図６】図５のＬ−Ｌ矢視断面図である。
【図７】図６のＮ−Ｎ矢視断面図である。
【図８】図６のＮ部拡大図である。
【図９】図１の支持具１０におけるケース２６単体の裏面図である。
【図１０】図６のＭ部拡大図である。
【図１１】図１の支持具をロックレバー４６を開位置にしてダッシュボード等の被吸着面３５に載置して背面側から見た斜視図である。
【図１２】図１１の支持具を前面側から見た斜視図である。
【図１３】図１１の支持具の側面図である。
【図１４】図１１の支持具の平面図である。
【図１５】図１４のＪ−Ｊ矢視断面図である。
【図１６】図１５のＫ−Ｋ矢視断面図である。
【図１７】図１５のＬ部拡大図である。
【図１８】図１の支持具を被吸着面から外すときの状態を示す図で、図１４のＪ−Ｊ矢視位置で見た断面図である。
【符号の説明】
【００２９】
１０…車載モニタ装置の支持具（吸盤装置）、２６…ケース、２６ｃ…突条、２６ｍ，２６ｎ…ケース側隆起部、３０…吸盤、３０ａ…吸盤の吸着面、３０ｂａ…吸盤の外周縁部の表面側部分、３０ｂｂ…吸盤の外周縁部の折り返し部、３０ｅ，３０ｆ…吸盤側隆起部、３３…高分子ゲルシート（高分子ゲル層）、３３ａ…高分子ゲルシートの外周縁部、３５…被吸着面、４２…ロッド、４２ａ…ケースの穴から突出しているロッドの突出部分、４４…ケース中央部の穴、４６…ロックレバー、４８…ピン結合のピン、５７…ロックレバーのカム部、６２，６４…指掛け用開口部、６６…吸盤の負圧空間
【図１】
2010133527.tif 000003
【図２】
2010133527.tif 000004
【図３】
2010133527.tif 000005
【図４】
2010133527.tif 000006
【図５】
2010133527.tif 000007
【図６】
2010133527.tif 000008
【図７】
2010133527.tif 000009
【図８】
2010133527.tif 000010
【図９】
2010133527.tif 000011
【図１０】
2010133527.tif 000012
【図１１】
2010133527.tif 000013
【図１２】
2010133527.tif 000014
【図１３】
2010133527.tif 000015
【図１４】
2010133527.tif 000016
【図１５】
2010133527.tif 000017
【図１６】
2010133527.tif 000018
【図１７】
2010133527.tif 000019
【図１８】
2010133527.tif 000020